(57)【要約】【課題】ソケットに装着されたＬＥＤランプが取り外されて持ち去られることを防止する。【解決手段】口金部１０の口金シェル１１がソケット内にネジ結合されることによって口金部１０がソケット内に嵌合した装着状態になり、口金シェル１１に給電されることによってＬＥＤ光源部２０が点灯される。筐体３０に回転可能に軸体４１が取り付けられており、軸体４１の先端部に設けられた係合突起４２が口金部１０のフランジ部１３に設けられた係合凹部１３ａに係合されて筐体３０と口金部１０とが連結されている。これにより、筐体３０と口金部１０とが一体となって回転する。口金シェル１１がソケット内にネジ結合された状態で軸体４１を回転操作すると、係合突起４２と係合凹部１３ａとの係合状態が解消されて、筐体３０と口金部１０とが連結状態が解除され、筐体３０は口金部１０に対して自由に回転し得る状態になる。【選択図】図１
2011070826.tif 000002
【特許請求の範囲】
【請求項１】
照明器具のソケット内にネジ結合されることにより当該ソケットに装着される口金部と、
発光素子を有する光源部が搭載または収容された筐体と、
前記口金部と前記筐体とを、一体となって回転できる状態に連結するとともに、前記口金部が前記ソケットにネジ結合された状態で、前記連結状態の解除操作できるように構成された連結部材と、
を有することを特徴とする照明光源装置。
【請求項２】
前記筐体の内部に前記口金部の一部が設けられており、
前記連結部材は、前記筐体の外部から回動操作可能になった軸体であり、
当該軸体は、前記口金部の一部に設けられた係合凹部に係合する係合突起が設けられており、
当該係合突起と前記係合凹部とによって前記連結状態とされていることを特徴とする請求項１に記載の照明光源装置。
【請求項３】
前記筐体の内部に前記口金部の一部が設けられており、
前記連結部材は、前記筐体の外部からの引き抜き可能に当該筐体の内部に挿入されて、前記口金部の一部に端部が挿入されたピンであることを特徴とする請求項１に記載の照明光源装置。
【請求項４】
前記筐体の内部に、当該筐体の一部に重なり合った状態で前記口金部と一体に構成された内部部材が設けられており、
前記連結部材は、前記筐体の外部に配置された外部磁石と、前記内部部材と前記筐体の一部との相互に重なり合った部分を挟んで前記外部磁石に吸着された内部磁石とによって前記連結状態とされていることを特徴とする請求項１に記載の照明光源装置。
【請求項５】
前記連結部材は、前記口金部を前記ソケットにネジ結合させる方向に前記筐体を回転させると前記連結状態になり、当該ネジ結合させる方向とは逆方向に回転させると前記筐体が前記口金部に対して空回転する状態になる一方向性クラッチ構造になっていることを特徴とする請求項１に記載の照明光源装置。
【請求項６】
前記連結部材は、前記筐体と前記口金部とを一体的に接合する接合部であり、
当該接合部は、前記口金部が前記ソケット内に嵌合された状態で、前記口金部が前記ソケットにネジ結合される方向とは逆方向へ前記筐体が回転操作されることによって、前記筐体と前記口金部との連結を解除することを特徴とする請求項１に記載の照明光源装置。
【請求項７】
前記接合部は、接着剤またはスポット溶接によって形成されていることを特徴とする請求項６に記載の照明光源装置。
【請求項８】
前記接合部は、前記光源部の点灯により溶融状態になることを特徴とする請求項６に記載の照明光源装置。
【請求項９】
前記連結部材は、前記筐体と前記口金部とを機械的に連結する連結具であり、
当該連結具は、前記口金部が前記ソケット内に嵌合された状態で、前記口金部が前記ソケットにネジ結合される方向とは逆方向へ前記筐体が回転操作されることによって前記筐体と前記口金部との連結を解除することを特徴とする請求項１に記載の照明光源装置。
【請求項１０】
前記連結部材は、前記口金部を前記ソケットにネジ結合させるために当該口金部に設けられた雄ネジ部と、当該雄ネジ部にネジ結合するように前記筐体に設けられた雌ネジ部とによって構成されていることを特徴とする請求項１に記載の照明光源装置。
【請求項１１】
前記連結部材は、前記口金部を前記ソケットにネジ結合させる方向に前記筐体を回転させると前記口金部に係合することにより前記連結状態とし、当該ネジ結合させる方向とは逆方向に回転させると、前記筐体と前記口金部とを分離状態とすることを特徴とする請求項１に記載の照明光源装置。
【発明の詳細な説明】
【技術分野】
【０００１】
本発明は、ＬＥＤ（Light Emitting Diode）、有機ＥＬ（Electro Luminescence）などの発光素子を使用した照明光源装置に関する。
【背景技術】
【０００２】
従来の白熱電球は、白熱電球用照明器具のソケットに着脱可能な口金に、球形状のグローブが取り付けられており、グローブの内部に、口金からの給電によって発光するフィラメントが設けられている。口金とグローブとは一体に形成されており、白熱電球用照明器具のソケットに装着する場合には、グローブを回転させることにより、口金をソケットにネジ結合させるようになっている。また、白熱電球用口金に蛍光灯が取り付けられた電球形蛍光灯も開発されている。
【０００３】
このような白熱電球、電球形蛍光灯の代替として、半導体発光素子の一種である発光ダイオード（ＬＥＤ）を照明用の光源として使用するＬＥＤランプの開発が進んでいる。ＬＥＤは、放電、輻射等により光を発する従来の電球型の光源装置と比べて小型であり、しかも、電気エネルギーを高効率で光に変換することができることから、照明用の光源として好適である。現在、白熱電球、電球形蛍光灯は、照明器具に装着されて使用されていることから、ＬＥＤを用いた照明光源装置としても、白熱電球、電球形蛍光灯との代替として既存の照明器具に装着できることが望ましい。
【０００４】
このために、例えば、従来の白熱電球用照明器具のソケットに着脱可能な口金に、ヒートシンク機能を有する筐体を連結して筐体上にＬＥＤモジュールを搭載したＬＥＤランプが開発されている。筐体には、ＬＥＤモジュールを覆うように、ドーム状のグローブが連結されている。このような構成のＬＥＤランプは、従来の白熱電球と同様に、グローブを回転操作することにより、口金をソケットにネジ結合させることができ、従来の白熱電球の代替として使用することができる。
【０００５】
また、特許文献１には、ＬＥＤの照射角度を調整するために、ＬＥＤの取り付け部分である第１筐体と、口金を保持する第２筐体との間に回転機構が設けられた電球形ＬＥＤ光源が開示されている。このような構成により、白熱電球用照明器具のソケットに口金を装着した状態で、ＬＥＤの取り付け部分である第１筐体を、口金に取り付けられた第２筐体に対して自由に回動させることができるために、ＬＥＤから照射される光の角度を変更することができる。
【先行技術文献】
【特許文献】
【０００６】
【特許文献１】特開２００５−２７６４６６号公報
【発明の概要】
【発明が解決しようとする課題】
【０００７】
従来の白熱電球との互換性を有する照明用のＬＥＤランプは、消費電力が少なく、しかも長時間にわたって使用できるという長所を有することから、すでに実用化されている。しかし、このような長所を有する反面、従来の白熱電球に対して約３０〜５０倍もの高価格になっている。
このような高価格のＬＥＤランプが、従来の白熱電球と同様に、照明器具のソケットに対して口金によって着脱する構成になっていると、何人でも簡単に取り外すことができることになる。ＬＥＤランプは高価格であることから、多くの人々が自由に出入りすることができるような公共のスペース、宿泊施設等においてＬＥＤランプが使用されると、照明器具から取り外されて持ち去られる可能性が大きくなる。ＬＥＤランプの持ち去りが頻繁に発生すると、被害額も大きくなる。
【０００８】
特許文献１に開示された電球形ＬＥＤ光源は、ＬＥＤが取り付けられた第１筐体と、口金に取り付けられた第２筐体とが回転可能になっているために、ソケットに装着された状態で、第２筐体を回転操作することによって口金を回転させることができ、これによりソケットから口金を取り外すことができる。従って、この電球形ＬＥＤ光源の場合にも、無断でソケットから取り外されて持ち去られることを防止することができない。
【０００９】
本発明は、上記問題の解決を図るべくなされたものであって、電球形照明器具のソケットに対して口金を容易に装着することができるものの、ソケットに装着された口金を取り外すことが困難であり、無断で持ち去られることを防止することができる照明光源装置を提供することを目的とする。
【課題を解決するための手段】
【００１０】
上記目的を達成するため、本発明に係る照明光源装置は、照明器具のソケット内にネジ結合されることにより当該ソケットに装着される口金部と、発光素子を有する光源部が搭載または収容された筐体と、前記口金部と前記筐体とを、一体となって回転できる状態に連結するとともに、前記口金部が前記ソケットにネジ結合された状態で、前記連結状態の解除操作できるように構成された連結部材と、を有することを特徴とする。
【発明の効果】
【００１１】
本発明の照明光源装置では、連結部材によって口金部が筐体と一体となって回転するように連結された状態で筐体を所定方向に回転させて、口金部がソケット内に嵌合された装着状態とした後に、連結手段による口金部と筐体との連結状態を解除させる操作をすることにより、筐体が回転操作されても口金部は回転されないために、ソケットから口金部を取り外すことができなくなる。これにより、照明光源装置がソケットから取り外されて持ち去られることを防止できる。
【図面の簡単な説明】
【００１２】
【図１】本発明の照明光源装置の実施形態１に係るＬＥＤランプの一例を示す縦断面図である。
【図２】本発明の実施形態２に係るＬＥＤランプの一例を示す縦断面図である。
【図３】本発明の実施形態２に係るＬＥＤランプの他の例を示す縦断面図である。
【図４】（ａ）は、本発明の実施形態３に係るＬＥＤランプに設けられた連結機構の一例を示す横断面図、（ｂ）および（ｃ）は、それぞれ、本発明の実施形態３に係るＬＥＤランプの連結機構の他の例を示す横断面である。
【図５】（ａ）は、本発明の実施形態４に係るＬＥＤランプの一例を示す縦断面図、（ｂ）および（ｃ）は、それぞれ、本発明の実施形態４に係るＬＥＤランプの他の例における主要部の断面図である。
【図６】本発明の実施形態５に係るＬＥＤランプの一例を示す縦断面図である。
【図７】本発明の実施形態６に係るＬＥＤランプの一例を示す縦断面図である。
【図８】（ａ）は、図７のＢ−Ｂ線に沿った断面図、（ｂ）は、口金部のフランジ部から取り外した状態の筐体における口金側端部の平面図、（ｃ）は、筐体の口金側端部を取り外した状態の口金部のフランジ部の平面図である。
【図９】図９（ａ）は、本発明の実施形態７に係るＬＥＤランプの側面図、（ｂ）は、その主要部の構成を示す模式図、（ｃ）は、動作説明のための模式図である。
【図１０】図９（ａ）に示すＬＥＤランプが破壊された状態を示す側面図である。
【発明を実施するための形態】
【００１３】
以下に、本発明を実施するための最良の形態について説明する。
＜実施形態１＞
図１は、本発明の実施形態に係る電球形照明光源装置の一例である電球形ＬＥＤランプ（以下、単に「ＬＥＤランプ」とする）の縦断面図である。
このＬＥＤランプは、図１に示すように、外部からの電力の受け入れ部（給電部）となる口金部１０と、当該口金部１０に一体的に取り付けられたＬＥＤ光源部２０と、口金部１０に対して一体的に連結された中空円錐台形状の筐体３０と、ＬＥＤ光源部２０を覆うように筐体３０に取り付けられた中空半球形状のグローブ６１とを有しており、口金部１０が、既存の白熱電球用照明器具のソケットに対して装着されるようになっている。
【００１４】
口金部１０は、雄ネジ部を有する口金シェル（筒状胴部）１１が嵌合された円筒形状の口金芯体１２と、口金芯体１２の一方の端部に設けられた円板形状のフランジ部１３とを有しており、フランジ部１３は、口金芯体１２の端部に同軸状態で一体的に形成された円板形状になっている。フランジ部１３は、筐体３０内に配置されており、口金芯体１２が筐体３０を貫通して外部に突出している。
【００１５】
筐体３０は、口金部１０のフランジ部１３が突き当てられる円板形状の口金側端部３１と、この口金側端部３１から離れる方向に向って延出するように当該口金側端部３１の外周縁部に連続して一体的に設けられた周面部３２とを有している。周面部３２は、口金側端部３１から離れるにつれて順次直径が大きくなっており、口金側端部３１とは反対側の端部は開放されている。
【００１６】
筐体３０の内部には、ＬＥＤ光源部２０が搭載される光源部搭載台５０が口金部１０と一体に設けられており、この光源部搭載台５０が口金部１０の内部部材になっている。光源部搭載台５０は、口金部１０のフランジ部１３における中央部に一方の端部が取り付けられて筐体３０の軸心部に沿って配置された支持軸５２と、この支持軸５２の他方の端部に同軸状態で取り付けられた搭載部５１とを有している。搭載部５１は、アルミニウム等の金属によって円板形状に構成されており、筐体３０における開放された端部内に配置されている。搭載部５１における支持軸５２とは反対側の表面には、ＬＥＤ光源部２０が搭載されている。
【００１７】
ＬＥＤ光源部２０は、搭載部５１上に載置される支持基板２１と、支持基板２１上に実装された複数のＬＥＤチップ２２と、当該複数のＬＥＤチップ２２を覆う蛍光体皮膜２３とを有している。支持基板２１は、例えば、例えば、アルミニウム、アルミニウム合金等の金属にて構成されたベース層と、ベース層上に積層された絶縁層と、絶縁層上に設けられた配線パターン２１ａとを有しており、ベース層が接着剤等によって搭載部５１上に固定されている。配線パターン２１ａには、ＬＥＤチップ２２の各電極が接合されている。
【００１８】
蛍光体皮膜２３は、例えば、シリコーン樹脂などの透光性材料中に、蛍光体粒子が分散されて構成されている。蛍光体皮膜における透光性材料に対する蛍光体粒子の混合比率は、体積、配置、形状等により異なるが、２〜５０［ｗｔ％］程度である。
搭載部５１におけるＬＥＤ光源２０が搭載された表面とは反対側の裏面には、ＬＥＤ光源２０の点灯制御回路等を含む回路ユニット５３が取り付けられている。回路ユニット５３とＬＥＤ光源２０における支持基板２１に設けられた配線パターン２１ａとは、リード線５４および５５によって電気的に接続されている。
【００１９】
なお、搭載部５１は、アルミニウム等の金属によって構成されているために、ＬＥＤ光源部２０から発せられる熱を放熱させることができる。従って、搭載部５１は、ヒートシンクとしても機能している。
筐体３０の周面部３２には、開放された端面を覆うようにグローブ６１が取り付けられている。グローブ６１は、透光性を有する材料、例えば、ガラス等によって、一端部に開口部が設けられた半円球形状に形成されており、開口部の周縁部が、筐体３０における周面部３２の端部に取り付けられている。これにより、搭載部５１が、ＬＥＤ光源部２０とともに、グローブ６１によって覆われて、ＬＥＤ光源部２０から照射される光がグローブ６１を通って外部に照射される。
【００２０】
筐体３０の口金側端部３１から突出した口金部１０の口金芯体１２は、ガラス材料等の絶縁体によって円筒状に構成されており、筐体３０の口金側端部３１を、回転自在に貫通している。
口金芯体１２におけるフランジ部１３とは反対側に位置する先端部には、絶縁材料によって形成された口金先端部材１４が取り付けられている。口金先端部材１４は、口金芯体１２から離れるにつれて順次先細りになった円錐形状になっており、その先端部に、アイレット金具１４ａが取り付けられている。
【００２１】
口金芯体１２に嵌合された口金シェル１１は、フランジ部１３側の端部が、筐体３０における口金側端部３１に突き当てられて、筐体３０から突出する口金芯体１２の全体を覆っている。口金シェル１１の先端部は、口金先端部材１４に取り付けられている。口金シェル１１の先端部とアイレット金具１４ａとは相互に接触しない状態になっている。口金シェル１１の周面には、電球用照明器具に設けられたソケットにネジ結合する雄ネジ部が形成されている。
【００２２】
このような構成の口金部１０は、例えば、ＪＩＳ（日本工業規格）に規定するＥ２６口金の規格に適合するものであり、従来の白熱電球（ミニクリプトン電球を含む）、電球形蛍光ランプ等に設けられた口金と互換性を有している。
従って、従来の口金が着脱可能になった電球用照明器具のソケットに対して口金シェル１１がネジ結合されることにより、口金シェル１１がソケット内に嵌合した装着状態になる。このような装着状態になることによって、口金シェル１１およびアイレット金具１４ａは、ソケットに設けられた一対の端子部のそれぞれと電気的に接続される。
【００２３】
口金シェル１１およびアイレット金具１４ａには、リード線１５および１６がそれぞれ接続されており、各リード線１５および１６が口金芯体１２およびの内部を通って、フランジ部１３に設けられた貫通孔から、筐体３０内に引き出されている。筐体３０内に引き出された各リード線１５および１６は、搭載部５１の裏面に設けられた回路ユニット５３にそれぞれ接続されている。
【００２４】
口金部１０におけるフランジ部１３と、筐体３０とは、連結部材４０によって、一体となって回転し得る状態に連結されている。この連結部材４０は、フランジ部１３と筐体３０との連結を解除することができるように構成されている。
連結部材４０は、フランジ部１３表面に平行な状態で配置された連結部材としての軸体４１を有しており、この軸体４１の一方の端部が、筐体３０の周面部３２に設けられた貫通孔３２ａ内に回転可能に支持されている。軸体４１の他方の先端部は、フランジ部１３の表面に近接した状態になっており、この先端部に、軸体４１の放射方向に沿って突出する係合突起４２が設けられている。軸体４１の先端部に近接したフランジ部１３の表面には、係合突起４２が内部に嵌合される係合凹部１３ａが設けられている。
【００２５】
軸体４１に設けられた係合突起４２は、フランジ部１３に設けられた係合凹部１３ａ内に嵌合してフランジ部１３と係合すると、フランジ部１３と筐体３０の周面部３２とが軸体４１によって相互に連結された状態になる。従って、このような状態で筐体３０の周面部３２がユーザーによって回転操作されると、フランジ部１３は筐体３０と一体となって回転する。
【００２６】
なお、貫通孔３２ａ内に配置された軸体４１の端部には、専用の工具が係合するように所定形状の開口部を有する凹部４１ａが設けられている。従って、凹部４１ａに専用の工具を係合させて軸体４１を回転させると、軸体４１の先端部に設けられた係合突起４２は、フランジ部１３に設けられた係合凹部１３ａとの係合状態を解消する。これにより、フランジ部１３と筐体３０との連結が解除され、筐体３０の回転は口金部１０に伝達されず、口金芯体１２は筐体３０に対して自由に回転し得る状態になる。
【００２７】
このような構成のＬＥＤランプは、工場出荷時には、連結部材４０における軸体４１に設けられた係合突起４２がフランジ部１３の係合凹部１３ａ内に嵌合されて、フランジ部１３と筐体３０の周面部３２とが軸体４１によって相互に連結された状態になっている。
従って、ユーザーが、ＬＥＤランプを電球用照明器具のソケットに取り付ける場合には、口金部１０の口金先端部材１４をソケット内に挿入した状態で、筐体３０の周面部３２またはグローブ６１を掴んで回転させる。
【００２８】
これにより、筐体３０と一体的に連結された口金部１０が回転し、口金部１０における口金シェル１１に設けられた雄ネジ部がソケットの雌ネジ部にネジ結合するようにネジ送りされる。口金シェル１１がソケットに完全にネジ結合された状態になると、口金シェル１１のほぼ全体がソケット内に嵌合した状態になって、口金シェル１１のネジ送りが停止される。
【００２９】
このような状態になると、ソケットに対して口金部１０における口金シェル１１およびアイレット金具１４ａが、ソケットに設けられた各端子部とそれぞれ電気的に接続された状態になり、ＬＥＤ光源部２０への給電が可能な状態になる。これにより、所定のスイッチ操作によってＬＥＤ光源部２０は点灯状態および消灯状態に切り替えられることになる。
【００３０】
口金部１０がソケットに装着された状態になると、ユーザーは、専用工具を使用して、軸体４１を回転させて、係合突起４２とフランジ部１３の係合凹部１３ａとの係合状態を解消する。これにより、口金部１０と筐体３０との連結状態が解除され、口金部１０に対して筐体３０は自由に空回転される状態になる。その後は、口金部１０と筐体３０との連結が解除されて筐体３０が口金部１０に対して空回転可能な状態が維持される。
【００３１】
このような状態になると、その後に筐体３０を回転操作しても、ソケットに装着された口金部１０は回転されず、口金部１０に対して筐体３０のみが空回転されることになる。従って、筐体３０の回転操作によって口金部１０をソケットから取り外すことができなくなり、ＬＥＤランプが無断で持ち去られることを防止することが可能になる。
ソケットに装着された状態のＬＥＤランプを寿命等によって取り換える必要が生じた場合には、専用工具を使用して軸体４１を回転させることにより、係合突起４２をフランジ部１３の係合凹部１３ａに係合させればよい。これにより、筐体３０と口金部１０とは軸体４１を介して一体回転可能な状態に連結されるために、筐体３０を回転操作することにより、口金部１０は筐体３０と一体的に回転し、ソケットから口金部１０を取り外すことができる。
【００３２】
ＬＥＤ光源部２０を用いたＬＥＤランプは高寿命であり、白熱電球の使用期間に対して４〜６倍程度の長い期間（通常、１０年以上）にわたって使用することができる。このために、ＬＥＤランプは、白熱電球のように頻繁に取り換える必要がなく、専用工具によって、筐体３０と口金部１０との連結状態を解除する機会は、白熱電球を取り換える場合よりも大幅に減少することになる。
【００３３】
また、一旦、ソケットに装着されたＬＥＤランプが寿命に達した場合には、ソケットから取り外しても、照明光源装置として再使用することができないことから、ＬＥＤランプの一部を破壊してソケットからの取り外してもよい。例えば、グローブ６１を、破壊等によって筐体３０から強制的に取り外して、光源部搭載台５０を回転操作すると、口金部１０をソケットに対して回転させることができ、口金部１０をソケットから取り外すことができる。
【００３４】
＜実施形態２＞
図２は、本発明の実施形態２に係るＬＥＤランプの一例を示す縦断面図である。本実施形態では、口金部１０のフランジ部１３における外周面と、筐体３０における周面部３２の内周面との間に適当な間隔が形成されている。また、フランジ部１３に取り付けられた光源搭載台５０が、筐体３０よりも一回り小さな中空円錐台形状に構成されており、筐体３０における周面部３２に同軸状態で摺接可能に嵌合した周面部５６を有している。
【００３５】
この周面部５６における口金１０のフランジ部１３側には、フランジ部１３に一体的に取り付けられた基端側端部５７が設けられている。周面部５６における基端側端部５７とは反対側の端部には、ＬＥＤ光源部２０が搭載される搭載部５１が設けられている。
口金部１０と筐体３０とを連結する連結部材４０は、金属等によって構成された連結部材としてのピン４３を有している。このピン４３は、所定の剛性を有する材料によって、所定の長さで一直線に形成されており、筐体３０における周面部３２の外側から、周面部３２を貫通し、筐体３０とフランジ部１３との間の空間を通過している。
【００３６】
ピン４３の筐体３０内に挿入された先端部は、フランジ部１３における直径方向に沿って設けられた孔部内に挿入されている。ピン４３におけるフランジ部に挿入された端部とは反対側に位置する端部は、筐体３０の外部に位置しており、ピン４３は、筐体３０の外部からの引き抜き可能になっている。
その他の構成は、前記実施形態１の図１に示されたＬＥＤランプの構成と同様になっている。
【００３７】
本実施形態のＬＥＤランプは、工場出荷時には、連結部材４０のピン４３が、筐体３０における周面部３２の外側から、フランジ部１３に形成された孔部内に挿入された状態になっている。従って、筐体３０と口金部１０のフランジ部１３とは、ピン４３によって連結された状態になっており、筐体３０と口金部１０とは、一体となって回転することが可能になっている。
【００３８】
このような構成のＬＥＤランプは、ユーザーが、口金部１０を電球用照明器具のソケットに装着する場合には、口金部１０の口金先端部材１４をソケット内に挿入した状態で、ユーザーが筐体３０の周面部３２を掴んで回転させると、ピン４３によって筐体３０と一体的に連結された口金部１０が回転し、口金部１０における口金シェル１１がソケットにネジ結合される。さらに、口金シェル１１がネジ送りされない状態にまで筐体３０を同方向に回転し続けることにより、口金シェル１１のほぼ全体がソケット内に嵌合した装着状態になる。
【００３９】
このような装着状態になると、ユーザーがピン４３を引き抜くことにより、口金部１０と筐体３０との連結状態が解除され、口金部１０に対して筐体３０は自由に回転し得る状態になる。従って、その後に、筐体３０を回転操作しても口金部１０は回転されず、筐体３０の回転操作によって口金部１０がソケットから取り外されるおそれがないために、ＬＥＤランプをソケットから取り外されて持ち去られることを防止することが可能になる。
【００４０】
なお、筐体３０から引き抜かれたピン４３を、再度、筐体３０の外部から、フランジ部１３に設けられた孔部内に挿入させることは、フランジ部１３に設けられた孔部が小さく、また、筐体３０がフランジ部１３に対して自由に回転可能になっていることから、極めて困難であり、実質的に不可能であるといえる。
また、一旦、ソケットに装着されたＬＥＤランプが寿命に達した場合には、前述した実施形態と同様に、ＬＥＤランプの一部を破壊して口金部１０をソケットから取り外せばよい。例えば、グローブ６１を、破壊等によって筐体３０から強制的に取り外して、光源部搭載台５０を回転操作すると、口金部１０をソケットに対して回転させることができ、口金部１０をソケットから取り外すことができる
なお、本実施形態では、連結部材４０としてピン４３を用いた構成に限らず、例えば、図３に示すように、筐体３０の外部に配置される外部磁石４４と、光源部搭載台５０の内部に配置される内部磁石４５とによって、口金部１０と筐体３０とが一体回転可能に連結する構成してもよい。
【００４１】
このような連結部材４０は、工場出荷時に、内部磁石４５が光源部搭載台５０における周面部５６の内周面に密着させた状態で、外部磁石４４を、筐体３０における周面部３２の外周面に密着させて、内部磁石４５および外部磁石４４同士を相互に吸着した状態にする。これにより、筐体３０の周面部３２および光源部搭載台５０の周面部５６は、内部磁石４５および外部磁石４４の磁力によって一体となって回転可能な連結状態になる。
【００４２】
このような構成とされたＬＥＤランプは、ユーザーが、口金部１０を電球用照明器具のソケットに装着する場合には、口金部１０の口金先端部材１４をソケット内に挿入した状態で、ユーザーは、筐体３０の周面部３２を掴んで回転させると、相互に吸着された外部磁石４４および内部磁石４５によって、筐体３０と一体的に連結された口金部１０が回転し、口金部１０における口金シェル１１がソケットにネジ結合される。さらに、口金シェル１１がネジ送りされない状態にまで筐体３０を同方向に回転し続けることにより、口金シェル１１のほぼ全体がソケット内に嵌合した装着状態になる。
【００４３】
このような装着状態になると、ユーザーが筐体３０の周面部３２に取り付けられた外部磁石４４を周面部３２から取り外して、内部磁石４５との吸着状態を解除すると、内部磁石４５は、光源部搭載台５０内に落下し、口金部１０と、筐体３０との連結が解除される。
これにより、口金部１０に対して筐体３０は自由に回転し得る状態になり、その後に、筐体３０を回転操作しても口金部１０は回転されず、筐体３０の回転操作によって口金部１０がソケットから取り外されるおそれがないために、ＬＥＤランプをソケットから取り外すことができなくなる。
【００４４】
この場合にも、一旦、ソケットに装着されたＬＥＤランプが寿命に達した場合にはＬＥＤランプの一部を破壊して口金部１０をソケットから取り外せばよい。
＜実施形態３＞
本実施形態では、口金部１０と、筐体３０との連結部材４０の構成のみが、前記実施形態２とは異なっており、その他の構成は前記実施形態２に係るＬＥＤランプの構成と同様になっている。図４（ａ）は、本実施形態に係るＬＥＤランプの連結部材４０の構成を説明するためのフランジ部１３の横断面を示す模式図である。
【００４５】
本実施形態に係るＬＥＤランプの連結部材４０は、一方向性クラッチ構造になっており、フランジ部１３の外周面から外側に向って突出するようにフランジ部１３の放射方向に沿って配置された係合ピン４６を有している。この係合ピン４６は、フランジ部１３に、放射方向に沿って形成された孔部１３ｄ内に嵌合されている。孔部１３ｄ内には圧縮バネ４６ａが設けられている。係合ピン４６は、圧縮バネ４６ａによって、孔部１３ｄから外側に突出するように付勢されており、係合ピン４６の先端部が、筐体３０における周面部３２の内周面に圧接されている。
【００４６】
また、筐体３０における周面部３２の厚さが、周方向の２／３程度は一定になっているが、残りの１／３程度は、口金部１０がソケットに装着する際の回転方向に沿って、順次、厚くなるように、周面部３２における内径が順次小さくなっている。従って、周面部３２における内周面の周方向の１か所において、最大内径部分と最小内径部分との段差部３２ｂが、口金部１０がソケットに装着する場合に回転操作される方向に向って形成されている。
【００４７】
このような一方向性クラッチ構造の連結部材４０を有するＬＥＤランプは、ユーザーが、口金部１０を電球用照明器具のソケットに装着するに際して、筐体３０の周面部３２を、図４（ａ）に矢印Ａで示す方向に回転操作すると、周面部３２の内周面が、係合ピン４６の先端面に対して摺接し、段差部３２ｂが係合ピン４６に突き当たることにより、係合ピン４６は段差部３２ｂに係合される。
【００４８】
このような状態で、筐体３０における周面部３２の回転操作を継続すると、段差部３２ｂに係合した係合ピン４６によって、筐体３０と口金部１０とが一体的に連結され、口金部１０は、段差部３２ｂと一体となって矢印Ａ方向に移動する。これにより、口金部１０は、筐体３０における周面部３２の回転操作方向と同方向に回転されることになる。このように、係合ピン４６は、段差部３２ｂに係合される係合部材になっており、段差部３２ｂは、係合ピン４６が係合される係合部になっている。
【００４９】
口金部１０が矢印Ａ方向に回転されると、口金部１０における口金シェル１１がソケットにネジ結合され、口金シェル１１のほぼ全体がソケット内に嵌合した装着状態になる。
このような装着状態になった後に、筐体３０の周面部３２を、矢印Ａで示す方向とは反対方向に回転操作すると、周面部３２の段差部３２ｂは、係合ピン４６との係合状態を解消し、係合ピン４６は、圧縮バネ４６ａによる付勢力によって、周面部３２における内周面を摺接する。
【００５０】
この場合には、係合ピン４６は、段差部３２ｂに係合することなく、段差部３２ｂにおける内径が小さくなった部分から大きくなった部分へと移動するために、係合ピン４６によって筐体３０と口金部１０とが一体となって移動可能な連結状態が解除され、口金部１０は回転するおそれがない。その結果、筐体３０の回転操作によって口金部１０がソケットから取り外されるおそれがない。
【００５１】
また、一旦、ソケットに装着されたＬＥＤランプが寿命に達した場合には、ＬＥＤランプの一部を破壊して口金部１０をソケットから取り外せばよい。
なお、本実施形態における連結部材４０は、図４（ａ）に示すような構成に限定されるものではなく、筐体３０がＡ方向に回転されることによって口金部１０とは一体回転可能な連結状態となり、逆方向に回転されることによって口金部１０に対して空回転する一方向性クラッチ構造になっていればよい。
【００５２】
例えば、図４（ｂ）に示すように、フランジ部１３の外周面から、口金部１０をソケットに装着する際に回転される方向Ａとは逆方向に向って、フランジ部１３の外周面とは３０度程度の角度を形成するように突出するプレート４７を係合部材として設ける構成としてもよい。この場合には、プレート４７は、フランジ部１３から突出した部分が、フランジ部１３の外周面に接近する方向に屈曲可能に構成されている。
【００５３】
また、筐体３０における周面部３２の内周部には、このプレート４７の突出側の先端部が嵌合される凹部３２ｃが設けられるとともに、当該凹部３２ｃにおける回転方向Ａとは反対側の側部に、プレート４７の先端部に係合されるように内周側に突出させた係合部３２ｄが設けられる。凹部３２ｃは、筐体３０における周面部３２が矢印Ａで示す方向とは逆方向に回転された際に、プレート４７が嵌合されるように構成されている。
【００５４】
さらには、凹部３２ｃにおける係合部３２ｄが設けられた側部とは反対側の側面は、周面部３２の内周面における接線方向に沿った状態になっており、筐体３０の周面部３２が矢印Ａで示す方向とは反対方向に回転され続けると、凹部３２ｃ内に嵌合されたプレート４７の先端部が当該側面に当接することによってプレート４７は屈曲状態になり、プレート４７は、屈曲された状態で周面部３２の内周面に摺接することになる。
【００５５】
このような構成の一方向性クラッチ構造の連結部材４０を有するＬＥＤランプでも、口金部１０を電球用照明器具のソケットに装着する場合に、筐体３０の周面部３２を、図４（ｂ）に矢印Ａで示す方向に回転操作すると、周面部３２の係合部３２ｄは、プレート４７の先端部に係合し、プレート４７は、筐体３０とフランジ部１３とが一体的に連結された状態になり、口金部１０は筐体３０と一体となって矢印Ａ方向に移動する。
【００５６】
これにより、口金部１０は、筐体３０における周面部３２の回転操作方向と同方向に回転され、口金部１０における口金シェル１１がソケットにネジ結合されて、口金シェル１１のほぼ全体がソケット内に嵌合した装着状態になる。
このような装着状態になった後に、筐体３０の周面部３２を、矢印Ａで示す方向とは反対方向に回転操作すると、筐体３０の周面部３２における係合部３２ｄは、プレート４７の先端部との係合状態を解消し、プレート４７は、周面部３２内に形成された凹部３２ｃ内に嵌合されて、係合部３２ｄが形成された側部に対向する側面に当接することによって屈曲状態とされ、その屈曲状態を維持して、周面部３２の内周面を摺接する。
【００５７】
その後も、周面部３２の回転が継続されると、プレート４７の先端部は、係合部３２ｄに係合されることなく、係合部３２ｄを乗り越えることになる。従って、プレート４７の先端部は、係合部３２ｄに係合しないために、筐体３０と口金部１０とは一体回転可能な連結状態を解除し、口金部１０は回転するおそれがない。その結果、筐体３０の回転操作によって口金部１０がソケットから取り外されるおそれがない。この場合も、一旦、ソケットに装着されたＬＥＤランプが寿命に達した場合には、ＬＥＤランプの一部を破壊して口金部１０をソケットから取り外せばよい。
【００５８】
図４（ｃ）は、本実施形態における一方向性クラッチ構造になった連結部材４０のさらに他の例を示す横断面図である。この連結部材４０には、フランジ部１３の外周面から、口金部１０がソケットに装着する際の回転方向Ａとは逆方向に、フランジ部１３の外周面とは１０度程度の角度を形成するように突出する複数のプレート４８（係合部材）を、周方向に一定の間隔をあけて設けるとともに、筐体３０における周面部３２の内周部に、各プレート４８がそれぞれ嵌合される凹部（係合部）３２ｅを設けている。
【００５９】
各凹部３２ｅの内周面は、各プレート４８に沿うように、口金部１０がソケットに装着する際の回転方向Ａとは反対方向になるにつれて、フランジ部１３の外周面から離れた円弧状に湾曲しており、回転方向Ａとは反対方向側の端部において、隣接するそれぞれの凹部３２ｅに連続する段差部３２ｆが形成されている。各プレート４８は、可撓性を有しており、各凹部３２ｅの内周面に沿うように湾曲して、それぞれの凹部３２ｅ内に嵌合された状態で、各凹部３２ｅにおける回転操作方向Ａとは反対方向側の端部に位置する段差部３２ｆに係合するようになっている。
【００６０】
このような一方向性クラッチ構造の連結部材４０を有するＬＥＤランプでも、ユーザーが、口金部１０を電球用照明器具のソケットに装着する際に、筐体３０の周面部３２を、図４（ｃ）に矢印Ａで示す方向に回転操作すると、周面部３２におけるそれぞれの段差部３２ｆが、凹部３２ｅ内に収容されたプレート４８の先端部にそれぞれ係合し、各プレート４８は筐体３０と口金部１０とが一体回転可能な連結状態になり、口金部１０は筐体３０と一体となって矢印Ａ方向に移動される。
【００６１】
これにより、口金部１０における口金シェル１１がソケットにネジ結合され、口金シェル１１のほぼ全体がソケット内に嵌合した装着状態になる。
このような装着状態になった後に、筐体３０の周面部３２を、矢印Ａで示す方向とは逆方向に回転操作すると、筐体３０の周面部３２における各凹部３２ｅの内周面は、凹部３２ｅ内に収容された各プレート４８の先端部をフランジ部１３に向って押圧し、各プレート４８の先端部が段差部３２ｆを乗り越える。
【００６２】
従って、段差部３２ｆは、各プレート４８の先端部に係合しないために、筐体３０と口金部１０との連結状態が解除され、口金部１０は回転するおそれがない。その結果、筐体３０の回転操作によって口金部１０がソケットから取り外されるおそれがない。この場合も、一旦、ソケットに装着されたＬＥＤランプが寿命に達した場合には、ＬＥＤランプの一部を破壊して口金部１０をソケットから取り外せばよい。
【００６３】
＜実施形態４＞
図５（ａ）は、本発明の実施形態４に係るＬＥＤランプの一例を示す縦断面図である。本実施形態では、口金部１０と、筐体３０との連結部材４０の構成のみが、前記実施形態２とは異なっており、その他の構成は、前記実施形態２に係るＬＥＤランプの構成と同様になっている。
【００６４】
本実施形態の連結部材４０は、フランジ部１３に取り付けられた光源部搭載台５０の周面部５６と、筐体３０における周面部３２とが複数の接合部４９によって連結されている。各接合部４９は、適当な接着強度を有する接着剤、適当な溶接強度を有するスポット溶接等によって形成されている。接合部４９は、例えば、光源部搭載台５０の周面部５６の軸方向に沿って一列に配列されている。
【００６５】
各接合部４９は、筐体３０における周面部３２と光源部搭載台５０の周面部５６とを、一体に連結しているが、光源部搭載台５０の周面部５６に対して筐体３０における周面部３２が周方向に沿った所定の力が加わることにより、それぞれが破壊されて、筐体３０における周面部３２と光源部搭載台５０の周面部５６との連結状態を解除するようになっている。
【００６６】
このような連結部材４０を有するＬＥＤランプは、ユーザーが、口金部１０を電球用照明器具のソケットに装着する際に、筐体３０の周面部３２を所定方向に回転操作すると、光源部搭載台５０の周面部５６が接合部４９によって筐体３０の周面部３２と一体的に連結されているために、光源部搭載台５０は筐体３０と一体となって回転し、口金芯体１２は筐体３０と一体となって回転される。
【００６７】
これにより、口金部１０における口金シェル１１がソケットにネジ結合され、口金シェル１１のほぼ全体がソケット内に嵌合した装着状態になる。この場合、口金部１０における口金シェル１１とソケットとが円滑にネジ結合されるために、口金部１０には、ソケットからの抵抗力が作用せず、筐体３０と口金部１０とを連結する各接合部４９には、筐体３０に作用する回転力に対する大きな反力は作用しない。従って、各接合部４９は破壊するおそれがない。
【００６８】
本実施形態のＬＥＤランプでは、口金部１０がソケットに装着された状態になっても、ユーザーが、筐体３０における周面部３２の回転操作を継続すると、ソケットにネジ結合された口金シェル１１はネジ送りされないために、口金部１０は回転されず、従って、筐体３０の周面部３２には、光源部搭載台５０の周面部５６に対して回転操作方向に沿った力が蓄積され、接合部４９には、蓄積された力が作用する。このような状態で、ユーザーによる回転操作がさらに継続されると、全ての接合部４９が破壊されることになる。
【００６９】
これにより、筐体３０の周面部３２と光源部搭載台５０の周面部５６との連結状態が解除されて、光源部搭載台５０と一体となった口金部１０と筐体３０との連結状態が解除される。従って、その後において、筐体３０の周面部３２が、ソケットに装着する際の回転操作方向とは逆方向に回転操作されても、口金部１０が回転するおそれがなく、筐体３０の回転操作によって口金部１０がソケットから取り外されるおそれがない。
【００７０】
なお、ＬＥＤランプが寿命に達して交換する場合にも、筐体３０の回転操作によって口金部１０をソケットから取り外すことができないが、この場合には、例えば、グローブ６１を筐体３０から強制的に取り外して光源部搭載台５０を所定方向に回転操作すればよい。これにより、口金部１０をソケットから取り外すことができ、従って、新たなＬＥＤランプをソケットに装着することができる。
【００７１】
本実施形態において、筐体３０の周面部３２と光源部搭載台５０の周面部５６とを連結する接合部４９は、口金部１０をソケットに装着する場合の回転操作によっては破壊されず、口金部１０がソケットに装着された後に、筐体３０の周面部３２の回転操作を継続することによって破壊される構成であれば特に限定されるものではない。従って、接合部４９の個数、設置個所等についても、特に限定されるものではなく、筐体３０の大きさ、接合部４９の強度等に基づいて適宜設定すればよい。
【００７２】
このことから、図５（ｂ）に示すように、口金部１０のフランジ部１３と、筐体３０の口金側端部３１とを、接合部４９によって接合するようにしてもよい。この場合にも、接合部４９の個数、設置個所については、特に限定されるものではない。
さらには、各接合部４９を、ＬＥＤ光源部２０のＬＥＤチップ２２が発光する際の熱によって溶融するような接着剤、溶接材等によって構成してもよい。この場合には、ユーザーは、口金部１０をソケットに装着した後に、各接合部４９が破壊されるまで回転操作する必要がなく、口金部１０をソケットに装着した後に、ＬＥＤ光源部２０のＬＥＤチップ２２を点灯して、各接合部４９を溶融状態にして、筐体３０を口金部１０に対して所定方向に回転操作すればよい。この場合には、筐体３０と光源部搭載台５０との連結状態を解除するために、特に大きな回転操作力を必要としない。
【００７３】
さらには、図５（ｃ）に示すように、筐体３０の口金側端部３１と、口金部１０の口金シェル１１とを機械的に連結する複数の連結具４０Ａによって連結部材４０を構成してもよい。この場合、各連結具４０Ａは、金属、樹脂等の線材によって構成されており、一方の端部が、筐体３０の口金側端部３１に取り付けられて、他方の端部が口金部１０の口金シェル１１に取り付けられることによって、筐体３０と、口金部１０とを一体的に連結している。
【００７４】
各連結具４０Ａは、ソケットに口金シェル１１が装着された後にも、ユーザーが筐体３０における周面部３２の回転操作を継続することによって破壊される機械的強度になっている。従って、口金部１０をソケットに装着した後に、各連結具４０Ａを破壊して、筐体３０と口金部１０との連結状態を解除しておくことにより、以降は、筐体３０を回転操作しても口金部１０が回転するおそれがなく、その結果、筐体３０の回転操作によって口金部１０がソケットから取り外されるおそれがない。
【００７５】
＜実施形態５＞
図６は、本発明の実施形態５に係るＬＥＤランプの縦断面図である。本実施形態では、光源部搭載台５０が設けられずに、筐体３０の周面部３２における口金部１０とは反対側の端部に、ＬＥＤ光源部２０の搭載部３３が設けられており、この搭載部３３上にＬＥＤ光源部２０が搭載されている。搭載部３３におけるＬＥＤ光源部２０が搭載された表面とは反対側の裏面には、ＬＥＤ光源２０の点灯制御回路等の回路ユニット５３が取り付けられている。回路ユニット５３とＬＥＤ光源２０における支持基板２１に設けられた配線パターン２１ａとは、リード線５４および５５によって電気的に接続されている。
【００７６】
また、口金部１０における口金芯体１２は、図1等に示されたフランジ部１３が設けられていない円筒形状になっており、口金先端部材１４が設けられた先端部とは反対側の基端部が、筐体３０の口金側端部３１に設けられた開口部に嵌合されている。口金シェル１１は、口金芯体１２の基端部にまで嵌合された状態になっており、その基端部に嵌合された口金シェル１１の端部にまで雄ネジ部が連続して形成されている。
【００７７】
口金シェル１１の雄ネジ部は、筐体３０の口金側端部３１における開口部に形成された雌ネジ部３１ａにネジ結合されている。
筐体３０の口金側端部３１における開口部に設けられた雌ネジ部３１ａは、口金部１０の口金シェル１１がソケットにネジ結合されるように筐体３０が回転操作される場合には、口金シェル１１はソケットからの抵抗力がほとんど作用しないために、口金シェル１１の雄ネジ部とのネジ結合された状態を維持し、口金シェル１１に対して移動することなく、筐体３０に加わる回転力が、口金シェル１１に伝達される。従って、口金部１０をソケットに対して円滑に装着することができる。
【００７８】
なお、口金部１０がソケットに装着された後にも、筐体３０を回転操作すると、口金側端部３１が口金シェル１１に対してネジ送りされるが、口金側端部３１がソケットに対して突き当てられることによって口金側端部３１のネジ送りは停止することになる。
これに対して、筐体３０を、口金シェル１１がソケットに装着された状態で、口金シェル１１がソケットに対してネジ結合される場合に筐体３０が回転操作される方向とは逆方向に回転操作すると、口金シェル１１の雄ネジ部がソケットにネジ結合された固定状態になっているために、筐体３０の口金側端部３１は、雌ネジ部３１ａによって、口金シェル１１の先端側とは反対側方向にネジ送りされることになる。
【００７９】
このような構成のＬＥＤランプは、工場出荷時には、口金部１０の口金シェル１１が、筐体３０の口金側端部３１における開口部に設けられた雌ネジ部３１ａにネジ結合された状態になっており、ユーザーが、口金部１０を電球用照明器具のソケットに装着する際に、筐体３０の周面部３２を所定方向に回転操作すると、口金シェル１１の雄ネジ部がソケットにネジ結合される。
【００８０】
口金部１０をソケットに装着した状態で、口金部１０をソケットから取り外すために、筐体３０の周面部３２が、口金部１０をソケットに対して装着する際の回転操作方向とは反対方向に回転操作されると、口金シェル１１の雄ネジ部がソケットにネジ結合されているために口金部１０は回転されないことから、筐体３０の口金側端部３１に形成された雌ネジ部３１ａは、ソケットにネジ結合された口金シェル１１の雄ネジ部に対して回転され、筐体３０の口金側端部３１はソケットから離れる方向にネジ送りされる。
【００８１】
従って、このような筐体３０の回転操作によっては、ソケットに装着された口金部１０は回転されないために、ソケットから取り外されるおそれがない。しかも、このような筐体３０の回転操作を継続すると、筐体３０の口金側端部３１が口金部１０から離脱されることになる。その結果、ＬＥＤ光源部２０が取り付けられた筐体３０は、ソケットに取り付けられた口金部１０から分離された状態になり、照明用光源として使用することができない状態になる。
【００８２】
このように、ソケットに取り付けられたＬＥＤランプを、従来の白熱電球をソケットから取り外す場合のように筐体３０を回転操作しても、ソケットに装着された口金部１０から筐体３０が分離した破壊状態になるために、照明用光源として再使用できなくなる。これにより、ソケットに装着されたＬＥＤランプを無断で持ち去るような不正行為を抑止することができる。
【００８３】
なお、ＬＥＤランプが寿命に達してソケットから取り外す必要がある場合には、筐体３０を所定方向に回転操作して、ソケットに装着された口金部１０から筐体３０を分離し、ソケットにネジ結合された口金部１０を、工具等を用いて回転させればよい。寿命に達したＬＥＤランプは、照明用光源として再使用できないために、破壊された状態になっても特に問題はない。
【００８４】
＜実施形態６＞
図７は、本発明の実施形態６に係るＬＥＤランプの一例を示す縦横断面図である。本実施形態では、図６に示す実施形態５のＬＥＤランプと同様に、光源部搭載台５０が設けられずに、筐体３０における口金部１０とは反対側の先端側部分に、ＬＥＤ光源部２０の搭載部３３が設けられており、この搭載部３３の表面上にＬＥＤ光源部２０が搭載され、裏面に回路ユニット５３が設けられている。
【００８５】
本実施形態では、筐体３０における口金側端部３１は、口金部１０のフランジ部１３に突き合わされて、フランジ部１３と一体的に係合した状態になっている。
図８（ａ）は、図７のＢ−Ｂ線に沿った断面図、図８（ｂ）は、口金部１０のフランジ部１３から取り外した状態の断面図、図８（ｃ）は、筐体３０の口金側端部３１を取り外した状態の口金部１０のフランジ部１３の平面図である。
【００８６】
図８（ｂ）に示すように、筐体３０の口金側端部３１には、中心部に、口金芯体１２と同軸状態になった円形状の開口部３１ｃが設けられており、この開口部３１ｃにおける中心対称の２位置に、それぞれが外側に矩形状に広がった係合凹部３１ｄが設けられている。
また、図８（ｃ）に示すように、口金部１０のフランジ部１３には、筐体３０の口金側端部３１に設けられたそれぞれの係合凹部３１ｄにおける矢印Ａで示す回転方向とは反対側に位置する側縁にそれぞれ係合する係合部１３ｇが設けられている。各係合部１３ｇは、口金部１０の口金シェル１１がソケットにネジ結合されるように筐体３０が矢印Ａ方向に回転操作されると、図８（ａ）に示すように、それぞれの係合凹部３１ｄにおける回転方向とは反対側の側縁部にそれぞれ係合される。
【００８７】
このような構成のＬＥＤランプでは、工場出荷時には、口金部１０のフランジ部１３に設けられた各係合部１３ｇが、筐体３０の口金側端部３１に設けられたそれぞれの係合凹部３１ｄに係合した状態になっており、ユーザーが、口金部１０を電球用照明器具のソケットに装着する際に、筐体３０の周面部３２を矢印Ａで示す方向に回転操作すると、口金シェル１１がソケットにネジ結合される。
【００８８】
口金部１０をソケットに装着した状態で、口金部１０をソケットから取り外すために、筐体３０の周面部３２が、口金部１０をソケットに対して装着する際の回転操作方向である矢印Ａ方向とは逆方向に回転操作されると、口金シェル１１がソケットにネジ結合されているために口金部１０は回転されないことから、筐体３０の口金側端部３１に形成された係合凹部３１ｄは、口金部１０のフランジ部１３に設けられた各係合部１３ｇとの係合状態を解消し、筐体３０と口金部１０との連結状態が解除され、筐体３０の口金側端部３１はフランジ部１３から分離される。これにより、ＬＥＤランプは、照明用の光源として使用することができない状態になり、ソケットに装着されたＬＥＤランプを無断で持ち去るような不正行為を抑止することができる。
【００８９】
なお、ＬＥＤランプが寿命に達してソケットから取り外す必要がある場合には、実施形態５の場合と同様に、ソケットに装着された口金部１０から筐体３０を分離した状態で、ソケットにネジ結合された口金部１０を、工具等を用いて回転させればよい。寿命に達したＬＥＤランプは、照明用光源として再使用できないために、破壊された状態になっても特に問題はない。
【００９０】
＜実施形態７＞
図９（ａ）は、本発明の実施形態７に係るＬＥＤランプの側面図である。本実施形態では、図７に示す実施形態５のＬＥＤランプにおいて、筐体３０における口金側端部３１と、口金部１０のフランジ部１３とが一体に構成されている。
本実施形態では、筐体３０における口金側端部３１と搭載部３３との間の周面部３２が、図９（ｂ）に示すように、金属、合成樹脂等の可撓性を有する材料によって平行四辺形の帯板状に形成された複数のプレート３６によって構成されている。各プレート３６は、搭載部３３側になるにつれて、口金部１０をソケットに装着する際に筐体３０の周面部３２が回転操作される方向（図９に矢印Ａで示す方向）に位置するように傾いた平行四辺形に構成されており、各プレート３６を周方向に沿うように湾曲状態で配置して、相互に密接させることにより、円錐台形状に形成されている。この場合には、各プレート３６は、矢印Ａで示す方向に隣接するプレートに支持されて、全体として円錐台形状を維持する。
【００９１】
このような構成の筐体３０を有するＬＥＤランプでは、口金部１０を電球用照明器具のソケットに装着する場合に、複数のプレート３６によって構成された周面部３２を、図９（ｂ）に矢印Ａで示す方向にユーザーが回転操作すると、周面部３２を構成するそれぞれのプレート３６は、隣接するプレート３６に圧接されて締め付けられるように力が加えられる。これにより、各プレート３６は、円錐台形状を維持して、加えられた力が口金側端部３１を介して口金部１０に伝達される。その結果、口金部１０は筐体３０と一体となって矢印Ａ方向に回転し、口金部１０における口金シェル１１をソケットにネジ結合させることができ、口金シェル１１のほぼ全体をソケット内に嵌合された装着状態とすることができる。
【００９２】
このような装着状態になった後に、筐体３０の周面部３２を、図９（ｃ）に示すように、矢印Ａで示す方向とは反対方向である矢印Ｃで示す方向に回転操作すると、周面部３２を構成する各プレート３６は、隣接するプレートから離れる方向に力が加わるために、図１０に示すように、矢印Ａ方向に隣接するプレート３６によって支持されなくなり、円錐台形状を維持することができなくなる。その結果、周面部３２に加わる回転力が口金部１０に伝達されず、口金部１０をソケットから取り外されることなく、周面部３２は破壊された状態になり、照明用光源として使用することができない状態になる。
【００９３】
このように、ソケットに取り付けられたＬＥＤランプを、従来の白熱電球をソケットから取り外す場合のように筐体３０を回転操作しても、口金部１０はソケットから取り外されることがなく、しかも、ソケットに装着された口金部１０から筐体３０が分離した破壊状態になるために、照明用光源として再使用できなくなる。これにより、ソケットに装着されたＬＥＤランプを無断で持ち去るような不正行為を抑止することができる。
【００９４】
なお、ＬＥＤランプが寿命に達してソケットから取り外す必要がある場合には、実施形態５の場合と同様に、ソケットに装着された口金部１０を、工具等を用いて回転させればよい。
＜変形例＞
以上、本発明を各実施の形態に基づいて説明したが、本発明は、上記の各実施の形態に示された具体例に限定されない。例えば、上記の各実施形態では、ＬＥＤランプの内部に回路ユニットを設ける構成であったが、ソケット内に点灯制御回路等が設けられる場合には、回路ユニットを設ける必要がない。
【００９５】
また、口金部１０の構成も、エジソンタイプのＥ２６に限定されるものではなく、例えばＥ１７等であってもよい。さらには、エジソンタイプに限らず、Ｇタイプ（ＧＸ、ＧＹ含む）、Ｐタイプ等であっても良い。
ＬＥＤ光源の構成についても、形状、発光素子であるＬＥＤの数、配列、接続方法、発光色等についても特に限定されるものではなく、用途等に応じて、適宜設定することができる。
【産業上の利用可能性】
【００９６】
本発明の照明光源装置は、電球形照明器具のソケットに対して口金が装着された後において、無断で取り外されて持ち去られることを防止することができる
【符号の説明】
【００９７】
１０      口金部
１１      口金シェル
１２      口金芯体
１３      フランジ部
１３ａ    係合凹部
１４      口金先端部材
２０      ＬＥＤ光源部
２１      支持基板
２２      ＬＥＤチップ
２３      蛍光体皮膜
３０      筐体
３１      口金側端部
３１ａ    雌ネジ部
３２      周面部
３３      搭載部
４０      連結部材
４０Ａ    連結具
４１      軸体
４２      係合突起
４３      ピン
５０      光源部搭載台
５１      搭載部
５２      支持軸
５３      回路ユニット
５６      周面部
５７      基端側端部
６１      グローブ
【図１】
2011070826.tif 000003
【図２】
2011070826.tif 000004
【図３】
2011070826.tif 000005
【図４】
2011070826.tif 000006
【図５】
2011070826.tif 000007
【図６】
2011070826.tif 000008
【図７】
2011070826.tif 000009
【図８】
2011070826.tif 000010
【図９】
2011070826.tif 000011
【図１０】
2011070826.tif 000012